(57)【要約】      （修正有）【課題】椅子に座ることにより痛を和らげたり、姿勢の矯正や腰痛予防ができるようにする。【解決手段】後方に傾斜を付け、浅く作られた座面１と可動腰当２それぞれの面の相対角度を、支柱９と可動腰当２の間に復帰羽１０などの弾性体を用い、常に鋭角に保ち、座ると意識することなく腰部が可動腰当２に当り、上体の動作によって力を加えることで一定の間、可動腰当２の斜度変更ができる、さらに、後脚４ａの抑制ストッパー部６ａを支柱９の背面に当てると最小斜度となり、前脚４の抑制ストッパー部６を座面１の裏面に当てることで最大斜度になる、その双方へと座りながら前後に動かし移行でき、気分転換や血液の循環を促せるように、一定のフリーゾーンを設けてある。【選択図】図１
2009006096.tif 000002
【特許請求の範囲】
【請求項１】
（イ）裏面に軸受３を設けた座面１の後部一端に、正面と背面に軸受３ｃ，３ａを上方に設け、上端に抑制ストッパー部６ｂを備えた支柱９を一体化する。
（ロ）裏面の下方に軸受２ａを設けた可動腰当２と座面１の相対角度を鋭角に保つための復帰バネ１０を合体し、支柱９  の正面軸受３ｃに取り付ける。
（ハ）前後の脚４，４ａの上部に軸孔と斜度を抑制するストッパー部６，６ａを施し、内側に向け軸受３ｂを備えた補強バー５を、前後の脚それぞれ左右に渡し一体化する。
（ニ）前脚４を座面１の裏面軸受３に、後脚４ａを支柱９  の背面軸受３ａに取り付け、双方の補強バー５の内側に向けた軸受３ｂにリンク８を連結する。
（ホ）座面１の傾斜は、座りながら最低から最高斜度へと双方に移行でき、その間は一定のフリーゾーンを設けて構成された腰痛予防緩和椅子である。
【発明の詳細な説明】
【発明の詳細な説明】
【０００１】  本発明は、お尻が前方にずれないように、後方に傾斜を付けた浅い座面１に座ることで、上体を反らしたり、前傾姿勢などの動作をしても、腰部が常に可動腰当２  に圧接しているため、無意識に背筋が伸び、腹部を圧迫せずに腰部コルセットを装着したような効果が得られ、腰部に加わる負担を著しく軽減することができ、その状態を安定的に保持することができる、さらに、座りながら前後に動かし最低と最高斜度へと双方に移行でき、その間は、血液の循環を促したり、気分転換にも良い一定のフリーゾーンを設けて構成した腰痛予防緩和椅子に関するものである。
【０００２】  従来、デスクワークなどで長時間に及び椅子に座る職業の方に腰を痛める人々が多く見受けられた。その原因の一つに、従来の椅子に於ける背もたれの役割は休憩や考え事をするときなどに一時的に寄り掛かる程度であり、殆どの人々は無意識に背もたれより上体を離しているため、体の癖や疲れなどから、背骨を歪めたり、前かがみになり背骨の緩衝材である、特に腰部（腰骨）の椎間板を長時間に亘り後方に押し出す力が加わり、直ぐには戻らずに神経を圧迫して腰痛が起きていた。又、腰を酷使する職業や（事故なども含む）加齢とともに椎間板の復元力が劣り腰痛が持病となり、苦しむ人々は、同じ姿勢で居るのが困難なためデスクワークなどで椅子に座ることが苦痛であった。さらに、そうした人々の中には、腰部コルセットの使用経験がある者も多く居たが、特にお年寄りなどは腹部を圧迫し、息苦しさや食欲が減退するなどの弊害があり使用を拒む人々も多く居た。
【０００３】  本発明は、長時間に亘り椅子に座るデスクワークなどにたずさわる、大半の人々は背もたれより上体（腰部）を離して就業しているために、疲れや身体の癖などから姿勢が乱れ腰痛を起こしていた。又、すでに腰痛に苦しんでいる人々が、椅子に座ることにより痛みを和らげたり、姿勢の矯正や腰痛予防ができるようにする。
【０００４】  本発明の椅子を使用することで腰痛緩和や姿勢の矯正、さらに予防もできるように、次のような構造を、発明者である私自身の事故による腰痛を基に、研究開発したものである。
（イ）裏面に軸受３を設けた座面１の後方一端に、正面と背面に軸受３ｃ，３ａを上方に設け、上端に抑制ストッパー部６ｂを備えた支柱９を一体化する。
（ロ）裏面の下方に軸受２ａを設けた可動腰当２と座面１の相対角度を鋭角に保つための復帰バネ１０を合体し、支柱９の正面軸受３ｃに取り付ける。
（ハ）前後の脚４，４ａの上部に軸孔と斜度を抑制するストッパー部６，６ａを施し、内側に向け軸受３ｂを中ほどに備えた補強バー５を、前後の脚それぞれ左右に渡し一体化する。
（ニ）前脚４を座面１の裏面軸受３に、後脚４ａを支柱９の背面軸受３ａに取り付け、双方の補強バー５の内側に向けた軸受３ｂにリンク８を連結する。
（ホ）座面１の傾斜は、座りながら、最低から最高斜度へと双方に移行でき、その間は一定のフリーゾーンを設けて構成された腰痛予防緩和椅子である。
【０００５】  本発明は、実施例として適宜公知の技術を用いた、次のものがある。
（イ）コンパクトに折りたたみ式にし、持ち運びを容易にすることでアウトドア・レジャーなど幅広く使用できるようにした。
（ロ）前後の脚４，４ａを伸縮固定ができるように構成し、身長に合わせ高さや角度を容易に調節できるようにした。
（ハ）前後の脚４，４ａを固定したもの。
（ニ）肘当てを付けたもの。
（ホ）前脚を一本にして三本脚にしたもの。
（ヘ）可動腰当２の抑制部６ｂを前後調節できるようにしたもの。
（ト）支点軸７の周辺の擦れる箇所にはスラストワッシャーや、抜け止めには適宜公知の手段を用いて構成し、抑制ストッパー部６，６ａ，６ｂの接触面には緩衝材を介在させる、又、本発明の椅子の材質は木・樹脂・金属パイプ・革・布などの組み合わせでも良い。さらに、座面１と可動腰当２は表面に曲面やクッションを施し、ネット状にしても良い。
【０００６】  後方に傾斜を付けた浅い座面１に座ると無意識に腰部が可動腰当２に圧接し、腹部を締め付け、圧迫することなく、腰部コルセットを強く装着したかのように安心感が得られ、腰部の負担が軽減される、又、意識することなく背筋が伸び、猫背などの予防や矯正も可能にしたものである。尚、実験の結果、腰痛に悩む者が本発明の椅子に座ると、あーこれは楽だと感嘆の声をあげ、著しく痛みを和らげることが証明されたものである。又、私自身、交通事故（玉突き追突）に遭い腰を強く痛めヘルニア状態になり、同じ姿勢で居ることが大変困難で３年以上も苦しんできた、そんな中で研究開発したもので、座った瞬間に著しく鈍痛が和らぎ、本発明の椅子によりデスクワークなどが、あるていど行なえるまでになった、さらに、寒い時期の夕方近くになると顔色が変わり脂汗がでるほどの鈍痛に悩まされ、横にならずには居られない程の痛みも半減した、これは実体験に基づき研究開発なされたものである。
【図面の簡単な説明】
【図１】本発明の、後脚４ａの抑制ストッパー部６ａを支柱９の背面に当て、最小斜度にした状態を示す右側面図である。
【図２】本発明の、前脚４の抑制ストッパー部６を座面１の裏面に当て、最大斜度にした状態を示す右側面図である。
【図３】本発明の、座面１と可動腰当２を鋭角に保つために復帰ばね１０を使用した一例を示し一部を拡大した右側面図である。
【図４】本発明の、前後の脚４，４ａとリンク８を省き  可動腰当２の一部を断面で示し、座面１と可動腰当２を鋭角に保つための一例に復帰ばね１０を使用したのようすを示す、平面図である。
【図５】最低斜度にして座った状態を示す、本発明の、側面図である。
【図６】本発明の、正面図である。尚、本発明は、左右対称を基本とする。
【符号の説明】
１  座面    ２  可動腰当    ２ａ  可動腰当軸受    ３，３ａ，３ｂ，３ｃ  軸受
４  前脚    ４ａ  後脚    ５  補強バー    ６，６ａ，６ｂ  抑制ストッパー部
７  支点軸    ８  リンク    ９  支柱    １０  復帰バネ
【図１】
2009006096.tif 000003
【図２】
2009006096.tif 000004
【図３】
2009006096.tif 000005
【図４】
2009006096.tif 000006
【図５】
2009006096.tif 000007
【図６】
2009006096.tif 000008